(57)【要約】【課題】本発明は、利用可能な複数の通信サービスを探して利用する通信サービスを自動選択するとともに公衆回線を選択して通信するネットワークファクシミリ装置に関する。【解決手段】ネットワークファクシミリ装置１は、ＤＮＳサーバ４０の接続されているネットワークＮＷと公衆回線網ＰＴとに接続され、送信宛先として番号が指定されて、ユーザＩ／Ｆ部３で公衆回線網ＰＴが選択されていると、当該番号を公衆回線網ＰＴの電話番号として直接送信し、ユーザＩ／Ｆ部３で通信サービスが選択されていると、ＤＮＳサーバ４０から当該番号に基づいて利用可能な通信サービスの情報を取得して当該通信サービスの１つを自動選択して送信する。【選択図】          図２
2006033316.tif 000002
【特許請求の範囲】
【請求項１】
各種通信サービスを提供する通信サーバの接続されているネットワークと公衆回線網とに接続され、前記公衆回線網と前記通信サーバの提供する通信サービスのいずれをも利用した通信を行うネットワークファクシミリ装置であって、前記公衆回線網と前記通信サーバの提供する通信サービスのいずれを利用して送信するかを選択する選択手段を備え、送信宛先として番号が指定されると、前記選択手段で前記公衆回線網が選択されていると、当該指定された番号を前記公衆回線網の電話番号として直接送信し、前記通信サービスが選択されていると、当該番号に基づいて前記通信サーバから利用可能な前記通信サービスの情報を取得して当該通信サービスの１つを自動選択して送信することを特徴とするネットワークファクシミリ装置。
【請求項２】
前記ネットワークファクシミリ装置は、前記通信サーバから取得した通信サービスのうち利用する通信サービスを選択するサービス選択手段と、前記利用する通信サービスを前記サービス選択手段を使用して手動選択するか前記自動選択するかの選択方法を設定する選択方法設定手段と、所定の表示手段と、を備え、当該選択方法設定手段で前記通信サービスの選択方法として手動選択が選択されると、前記通信サーバから取得した前記通信サービスの一覧を前記表示手段に表示し、当該表示に基づいて、前記サービス選択手段で利用する前記通信サービスが選択されると、当該選択された通信サービスを利用して送信することを特徴とする請求項１記載のネットワークファクシミリ装置。
【請求項３】
前記ネットワークファクシミリ装置は、前記通信サーバから取得した通信サービスの１つを選択して所定の宛先に送信を行い、当該送信において通信エラーが発生して、当該宛先に再送信を行う場合、当該通信エラーの発生した送信において送信済みページがあるときには、当該通信エラーの発生した通信サービスと同じ通信サービスを利用して当該再送信を行うことを特徴とする請求項１または請求項２記載のネットワークファクシミリ装置。
【発明の詳細な説明】
【技術分野】
【０００１】
本発明は、ネットワークファクシミリ装置に関し、詳細には、利用可能な複数の通信サービスを探して利用する通信サービスを自動選択するとともに公衆回線を選択して通信するネットワークファクシミリ装置に関する。
【背景技術】
【０００２】
ファクシミリ装置は、従来、それ自体単独で動作するいわゆるスタンドアロンで使用されており、従来のファクシミリ通信手順（伝送手順）は、ＩＴＵ（International Telecommunication Union：国際電気通信連合）−Ｔ勧告Ｔ．３０に従って実行される。
【０００３】
近年、通信網の整備によりインターネットが普及しており、ファクシミリ装置においてもインターネットを使用してファクシミリ通信を行うインターネットファクシミリ装置が出現している（特許文献１等参照）。
【０００４】
そして、今日、インターネットの急速な発展により、電話番号とインターネットの各種アドレスを変換する仕組みであるＥＮＵＭ（ＩＥＴＦ  ＲＦＣ２９１６）が注目されている。このＥＮＵＭを利用して、電話番号とネットワーク上の種々のアドレスを対応付けることで、電話番号からメールアドレスやＵＲＬ（Uniform Resource Locator）等を検索することができ、ユーザがサービス毎に複雑なアドレスを覚える必要がないという利点がある。
【０００５】
具体的には、例えば、図７に示すように、電話番号を、Ｅ．１６４で勧告されるＥ．１６４番号に変換し、Ｅ．１６４番号をさらにＥＮＵＭ用ドメイン名に変換して、ＤＮＳ（Domain Name System）へ問い合わせることで、ＤＮＳに登録されている資源コード（ＮＡＰＴＲレコード）からサービス情報を受け取ることができる。このＤＮＳの資源コードには、サービスプロトコルとそのＵＲＩ（Uniform Resource Identifiers）を登録することができ、また、優先度を指定して、複数登録することができる。
【０００６】
そして、従来、ユーザから使用可能なメディアについてメディアリストに登録しておき、論理番号を用いた発信が行われると、論理番号に基づいて、着信ユーザのメディアリストと、その属性情報を論理番号に対応付けて格納する論理番号管理データベースを参照し、優先度が付与された着信先のメディアリストを取得し、着信先のメディアリストの使用可能なメディアから通信を行うメディアを決定し、決定されたメディアが起動されていなければ、起動し、該アプリケーションに対して着信先のメディアのアドレスを発信ユーザ端末に送信する技術が提案されている（特許文献２参照）。
【０００７】
この従来技術によれば、各メディアアプリケーションで共通の論理番号を使用し、メディアアプリケーションの状態を自動的に監視し、あるメディアで通信ができない場合には、別のメディアのアプリケーションを自動的に起動することで、ユーザがアプリケーションを起動したり、論理番号を入力したりといった煩わしい操作を行うことなく、確実に通信を行うことができる。
【０００８】
【特許文献１】特開平１１−２３４３４３号公報
【特許文献２】特開２００４−７０７５０号公報
【発明の開示】
【発明が解決しようとする課題】
【０００９】
しかしながら、上記従来技術にあっては、ネットワークファクシミリ装置に適用した場合に、利用性をさらに向上させる上で、改良の必要があった。
【００１０】
すなわち、例えば、予めワンタッチキー等に電話番号を登録して、そのキーを指定して送信する場合、公衆網へその電話番号を使って直接発呼するべきなのか、ネットワーク上のサーバに問い合わせて、サーバから取得した通信サービスの中から１つのサービスを選択して送信するべきなのかを、ネットワークファクシミリ装置自体では判断することができず、従来技術をそのまま適用しても、利用することができず、改良の必要があった。
【００１１】
そこで、請求項１記載の発明は、各種通信サービスを提供する通信サーバの接続されているネットワークと公衆回線網とに接続され、公衆回線網と通信サーバの提供するサービスのいずれかを利用して通信を行うに際して、送信宛先として番号が指定され、選択手段で公衆回線網が選択されていると、当該番号を公衆回線網の電話番号として直接送信し、選択手段で通信サービスが選択されていると、通信サーバから当該番号に基づいて利用可能な通信サービスの情報を取得して当該通信サービスの１つを自動選択して送信することにより、番号が送信相手先として指定された場合、当該宛先として指定された番号が、公衆回線網のアドレス（電話番号）である場合に、実際の公衆回線網のアドレスかどうかをネットワーク上の通信サーバに問い合わせるという無駄なアクセスを行わなうことなく、公衆網に接続して送信し、また、通信サービスを利用する場合には、論理アドレスによるネットワーク接続を適切に行い、利用性を向上させることのできるネットワークファクシミリ装置を提供することを目的としている。
【００１２】
請求項２記載の発明は、利用する通信サービスを手動選択するか自動選択するかの選択方法を設定する選択方法設定手段で、手動選択が選択されると、通信サーバから取得した通信サービスの一覧を表示手段に表示し、当該表示に基づいて、サービス選択手段で利用する通信サービスが選択されると、当該選択された通信サービスを利用して送信することにより、論理的な番号に対する通信サービスが複数ある場合に、オペレータが手動で通信サービスを選択することで、オペレータの意に反した宛先に送信されることを確実に防止し、例えば、通常は、自動送信で通信サービスを選択して送信し、重要な情報を送信する場合に手動選択で通信サービスを選択して送信し、利用性をより一層向上させつつ、安全性を向上させるネットワークファクシミリ装置を提供することを目的としている。
【００１３】
請求項３記載の発明は、通信サーバから取得した通信サービスの１つを選択して所定の宛先に送信を行い、当該送信において通信エラーが発生して、当該宛先に再送信を行う場合、当該通信エラーの発生した送信において送信済みページがあるときには、当該通信エラーの発生した通信サービスと同じ通信サービスを利用して当該再送信を行うことにより、１つのドキュメントが分割されて異なる端末へ出力されてしまうことを確実に防止し、通信の安全性と利用性を向上させることのできるネットワークファクシミリ装置を提供することを目的としている。
【課題を解決するための手段】
【００１４】
請求項１記載の発明のネットワークファクシミリ装置は、各種通信サービスを提供する通信サーバの接続されているネットワークと公衆回線網とに接続され、前記公衆回線網と前記通信サーバの提供する通信サービスのいずれをも利用した通信を行うネットワークファクシミリ装置であって、前記公衆回線網と前記通信サーバの提供する通信サービスのいずれを利用して送信するかを選択する選択手段を備え、送信宛先として番号が指定されると、前記選択手段で前記公衆回線網が選択されていると、当該指定された番号を前記公衆回線網の電話番号として直接送信し、前記通信サービスが選択されていると、当該番号に基づいて前記通信サーバから利用可能な前記通信サービスの情報を取得して当該通信サービスの１つを自動選択して送信することにより、上記目的を達成している。
【００１５】
この場合、例えば、請求項２に記載するように、前記ネットワークファクシミリ装置は、前記通信サーバから取得した通信サービスのうち利用する通信サービスを選択するサービス選択手段と、前記利用する通信サービスを前記サービス選択手段を使用して手動選択するか前記自動選択するかの選択方法を設定する選択方法設定手段と、所定の表示手段と、を備え、当該選択方法設定手段で前記通信サービスの選択方法として手動選択が選択されると、前記通信サーバから取得した前記通信サービスの一覧を前記表示手段に表示し、当該表示に基づいて、前記サービス選択手段で利用する前記通信サービスが選択されると、当該選択された通信サービスを利用して送信するものであってもよい。
【００１６】
また、例えば、請求項３に記載するように、前記ネットワークファクシミリ装置は、前記通信サーバから取得した通信サービスの１つを選択して所定の宛先に送信を行い、当該送信において通信エラーが発生して、当該宛先に再送信を行う場合、当該通信エラーの発生した送信において送信済みページがあるときには、当該通信エラーの発生した通信サービスと同じ通信サービスを利用して当該再送信を行うものであってもよい。
【発明の効果】
【００１７】
請求項１記載の発明のネットワークファクシミリ装置によれば、各種通信サービスを提供する通信サーバの接続されているネットワークと公衆回線網とに接続され、公衆回線網と通信サーバの提供するサービスのいずれかを利用して通信を行うに際して、送信宛先として番号が指定され、選択手段で公衆回線網が選択されていると、当該番号を公衆回線網の電話番号として直接送信し、選択手段で通信サービスが選択されていると、通信サーバから当該番号に基づいて利用可能な通信サービスの情報を取得して当該通信サービスの１つを自動選択して送信するので、番号が送信相手先として指定された場合、当該宛先として指定された番号が、公衆回線網のアドレス（電話番号）である場合に、実際の公衆回線網のアドレスかどうかをネットワーク上の通信サーバに問い合わせるという無駄なアクセスを行わなうことなく、公衆網に接続して送信することができ、また、通信サービスを利用する場合には、論理アドレスによるネットワーク接続を適切に行うことができ、利用性を向上させることができる。
【００１８】
請求項２記載の発明のネットワークファクシミリ装置によれば、利用する通信サービスを手動選択するか自動選択するかの選択方法を設定する選択方法設定手段で、手動選択が選択されると、通信サーバから取得した通信サービスの一覧を表示手段に表示し、当該表示に基づいて、サービス選択手段で利用する通信サービスが選択されると、当該選択された通信サービスを利用して送信するので、論理的な番号に対する通信サービスが複数ある場合に、オペレータが手動で通信サービスを選択することで、オペレータの意に反した宛先に送信されることを確実に防止することができ、例えば、通常は、自動送信で通信サービスを選択して送信し、重要な情報を送信する場合に手動選択で通信サービスを選択して送信することができ、利用性をより一層向上させることができるとともに、安全性を向上させることができる。
【００１９】
請求項３記載の発明のネットワークファクシミリ装置によれば、通信サーバから取得した通信サービスの１つを選択して所定の宛先に送信を行い、当該送信において通信エラーが発生して、当該宛先に再送信を行う場合、当該通信エラーの発生した送信において送信済みページがあるときには、当該通信エラーの発生した通信サービスと同じ通信サービスを利用して当該再送信を行うので、１つのドキュメントが分割されて異なる端末へ出力されてしまうことを確実に防止することができ、通信の安全性と利用性を向上させることができる。
【発明を実施するための最良の形態】
【００２０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２１】
図１〜図４は、本発明のネットワークファクシミリ装置の第１実施例を示す図であり、図１は、本発明のネットワークファクシミリ装置の第１実施例を適用したネットワークファクシミリ装置１のブロック構成図である。
【００２２】
図１において、ネットワークファクシミリ装置１は、システム制御部２、ユーザＩ／Ｆ部３、スキャナ部４、プロッタ部５、メモリ部６、ネットワークＩ／Ｆ部７、公衆網Ｉ／Ｆ部８、プロトコル作成／解析部９、画像変換制御部１０及びアドレス管理部１１等を備えており、各部は、バス１２により接続されていて、通常のファクシミリ機能、メール型インターネットファクシミリ機能（Ｔ．３７）及びリアルタイム型インターネットファクシミリ機能（Ｔ．３８）を備えている。
【００２３】
システム制御部２は、ＣＰＵ（Central Processing Unit ）、ＲＯＭ（Read Only Memory）、ＲＡＭ（Random Access Memory）等を備え、ＣＰＵが、ＲＯＭ内のプログラムに基づいてＲＡＭをワークメモリとして利用しつつネットワークファクシミリ装置１の各部を制御して、ネットワークファクシミリ装置１としての処理を実行するとともに、後述する通信方式選択処理を実行する。
【００２４】
ユーザＩ／Ｆ部（選択手段、サービス選択手段、選択方法設定手段）３は、テンキーやスタートキー等の各種操作キーを備えるとともに、表示手段としてのディスプレイ（例えば、液晶ディスプレイ）等を備え、操作キーからは、送信操作等の各種命令が入力され、ディスプレイには、操作キーから入力された命令内容やネットワークファクシミリ装置１からオペレータに通知する各種情報が表示される。
【００２５】
スキャナ部４は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ部４の原稿読取位置に送給する。スキャナ部４は、ＡＤＦから搬送されてきた原稿を走査し、原稿の画像を所定の解像度で読み取る。
【００２６】
プロッタ部５としては、例えば、電子写真式記録装置等が使用されており、プロッタ部５は、受信した画像データやスキャナ部４で読み取った画像データに基づいて画像を用紙に記録出力する。
【００２７】
メモリ部６は、ＲＡＭあるいはハードディスク等で構成され、受信画情報や送信画情報等を主に記憶し、また、システム設定情報も記憶する。
【００２８】
ネットワークＩ／Ｆ部７は、図２に示すＬＡＮ（Local Area Network）またはインターネット等のネットワークＮＷとのインタフェースであり、ネットワークＮＷを介して種々のデータをやり取りする機能を有している。
【００２９】
公衆網Ｉ／Ｆ部８は、図２に示す公衆回線網（ＰＳＴＮ（Public Swiched Telephone Network））ＰＴとの接続インターフェースであり、ファクシミリ送受信の制御を行う。
【００３０】
プロトコル作成／解析部９は、ファクシミリ及びＴ．３８で送信する場合に、プロトコルを作成／解析する。
【００３１】
画像変換制御部１０は、画情報（画像データ）のメモリ部６への蓄積の効率化及び伝送時間の短縮化を図るために画像を圧縮し、また、圧縮された画像を伸張し、また、画像変倍や線密度変換を行う。
【００３２】
アドレス管理部１１は、ワンタッチやグループ等に対応させて通信相手先の電話番号や論理的なアドレスデータ等を記憶・管理する。
【００３３】
そして、ネットワークファクシミリ装置１は、選択手段としてのユーザＩ／Ｆ部３から予めワンタッチキーやグループキーに対応させて通信先のデータが入力され、入力された通信先データをアドレス管理部１１に記憶して、当該通信先データを使用して通信方法と通信回線を自動選択して通信するか、公衆回線網ＰＴを使用して通信するかの通信種別選択基準情報として識別情報をも登録する。すなわち、ユーザＩ／Ｆ部３からは、例えば、ワンタッチまたはグループキーに対する登録アドレスが論理アドレスかどうかの識別情報（通信種別選択基準情報）を予め設定入力して登録する場合、オペレータまたはネットワークファクシミリ装置１の管理者は、ネットワークファクシミリ装置１のユーザＩ／Ｆ部３の備えているワンタッチキーやグループキーに対応付けてアドレスを登録する際に、予めそのアドレスの電話番号が実際の公衆網ＰＴのアドレスであるのか、あるいは、電話番号による名前空間を利用した論理的なアドレスであるのかを指定して入力し、アドレス管理部１１に識別情報として記憶する。
【００３４】
なお、本実施例では、論理アドレスから実アドレスへの変換メカニズムは、ＥＮＵＭを用いるものとする。
【００３５】
そして、ネットワークファクシミリ装置１は、図２に示すように、ＬＡＮやインターネット等のネットワークＮＷを介して通信先の他のネットワークファクシミリ装置３０やＤＮＳサーバ４０等と接続されており、ＤＮＳサーバ（通信サーバ）４０は、データベース４１を備え、データベース４１には、ＤＮＳサーバ４０が提供する各種サービス（通信サービス）で必要とする各種データが格納されている。ＤＮＳサーバ４０は、ネットワークＮＷを介したネットワークファクシミリ装置１等の各端末からの指示に応じて提供可能な各種サービスの一覧を回答し、当該一覧に基づいたサービスの要求に応じて当該要求されたサービスを提供する。
【００３６】
また、上記説明では、アドレスとアドレス管理部１１に登録する際に論理アドレスであるか実際の公衆能ＰＴのアドレスであるかを指定しているが、登録時ではなく、送信等の宛先を指定する際に、論理アドレスか否かの指定を行ってもよい。
【００３７】
次に、本実施例の作用を説明する。本実施例のネットワークファクシミリ装置１は、予めワンタッチキーやグループキーに対応して送信先のアドレスがアドレス管理部１１に登録されており、当該登録されているアドレスが論理アドレスか否かを予めの指定または通信時の指定に応じて判断して、通信方式を選択して、適切に通信する。なお、以下の説明では、説明を簡単にするために、ワンタッチキーに対してアドレス登録されている場合についてのみ説明するが、他の登録キー、例えば、グループキー等についても同様に適用することができる。
【００３８】
すなわち、ネットワークファクシミリ装置１は、ワンタッチキーやグループキーに対応付けて送信先アドレスが登録されている状態で、送信時、図３に示すように、オペレータが送信時に予め登録されたワンタッチキーを指定して送信指示を行うと（ステップＳ１０１）、当該ワンタッチキーで指定された宛先が論理アドレスかどうか判断する（ステップＳ１０２）。
【００３９】
なお、このワンタッチキーで指定された宛先アドレスが論理アドレスか実際のアドレスかは、上述のように、当該ワンタッチキーで指定されたアドレスの登録時または当該ワンタッチキーでの宛先の指定時に指定され、ネットワークファクシミリ装置１は、当該指定に応じて、ワンタッチキーで指定された宛先アドレスが論理アドレスか実際のアドレスかを判定する。
【００４０】
ステップＳ１０２で、上記ワンタッチキーで指定された宛先が論理アドレスの場合には、ネットワークファクシミリ装置１は、当該ワンタッチキーに対応してアドレス管理部１１に登録されている番号を一旦Ｅ．１６４番号に変換し（ステップＳ１０３）、さらに、ＥＮＵＭ用ドメイン名に変換して（ステップＳ１０４）、ネットワークＮＷを介してＤＮＳサーバ４０に問い合わせを行う（ステップＳ１０５）。
【００４１】
ＤＮＳサーバ４０は、ネットワークファクシミリ装置１から問い合わせがあると、データベース４１の情報から利用可能なサービス一覧を取り出して、依頼のあったネットワークファクシミリ装置１に回答する。このサービス一覧は、例えば、図４に示すようなものであり、優先度、サービス名及びＵＲＩからなる。
【００４２】
ネットワークファクシミリ装置１は、ＤＮＳサーバ４０から回答があると、当該サービス一覧を取得し（ステップＳ１０６）、当該サービス一覧に利用可能なサービスがあるか、すなわち、自機でサポートしている送信サービスがあるかチェックする（ステップＳ１０７）。
【００４３】
ステップＳ１０７で、ネットワークファクシミリ装置１は、利用可能なサービスがあると、当該利用可能なサービスを今回の送信に使用するサービスとして選択・決定して（ステップＳ１０８）、当該選択したサービス（ＵＲＩ）を指定して接続を行い（ステップＳ１０９）、送信を行って、処理を終了する（ステップＳ１１０）。
【００４４】
ステップＳ１０７で、利用可能なサービスがないときには、ネットワークファクシミリ装置１は、送信を行うサービスがないため、エラー処理を行って、処理を終了する（ステップＳ１１１）。
【００４５】
また、上記ステップＳ１０２で、論理アドレスでないときには、実際の公衆網ＰＴのアドレス（電話番号）であるので、ネットワークファクシミリ装置１は、公衆網ＰＴに接続して（ステップＳ１１２）、通常のプログラム送信処理を行って送信する（ステップＳ１１０）。
【００４６】
このように、本実施例のネットワークファクシミリ装置１は、各種通信サービスを提供するＤＮＳサーバ４０の接続されているネットワークＮＷと公衆回線網ＰＴとに接続され、公衆回線網ＰＴとＤＮＳサーバ４０の提供するサービスのいずれかを利用して通信を行うに際して、送信宛先として番号が指定され、ユーザＩ／Ｆ部３で公衆回線網ＰＴが選択されていると、当該番号を公衆回線網ＰＴの電話番号として直接送信し、ユーザＩ／Ｆ部３で通信サービスが選択されていると、ＤＮＳサーバ４０から当該番号に基づいて利用可能な通信サービスの情報を取得して当該通信サービスの１つを自動選択して送信している。
【００４７】
したがって、番号が送信相手先として指定された場合、当該宛先として指定された番号が、公衆回線網のアドレス（電話番号）である場合に、実際の公衆回線網ＰＴのアドレスかどうかをネットワークＮＷ上のＤＮＳサーバ４０に問い合わせるという無駄なアクセスを行わなうことなく、公衆網ＰＴに接続して送信することができ、また、通信サービスを利用する場合には、論理アドレスによるネットワーク接続を適切に行うことができ、利用性を向上させることができる。
【実施例２】
【００４８】
図５は、本発明のネットワークファクシミリ装置の第２実施例を適用したネットワークファクシミリ装置による送信処理を示すフローチャートある。
【００４９】
なお、本実施例は、上記第１実施例のネットワークファクシミリ装置１と同様のネットワークファクシミリ装置に適用したものであり、本実施例の説明においては、必要に応じて、上記第１実施例の説明で用いた符号をそのまま用いて説明する。
【００５０】
本実施例のネットワークファクシミリ装置１は、ＤＮＳサーバ４０の提供するサービスのうち送信に利用するサービスをオペレータが手動で選択するものである。
【００５１】
すなわち、図５に示すように、ネットワークファクシミリ装置１は、ワンタッチキー等で論理アドレスの指定のある宛先が選択されるととともに、ユーザＩ／Ｆ部３で手動接続の要求が指示操作されると（ステップＳ２０１）、当該論理アドレスを一旦Ｅ．１６４番号に変換し（ステップＳ２０２）、さらに、ＥＮＵＭ用ドメイン名に変換して（ステップＳ２０３）、ネットワークＮＷを介してＤＮＳサーバ４０に問い合わせを行う（ステップＳ２０４）。
【００５２】
ＤＮＳサーバ４０は、ネットワークファクシミリ装置１から問い合わせがあると、データベース４１の情報から利用可能なサービス一覧を取り出して、依頼のあったネットワークファクシミリ装置１に回答する。
【００５３】
ネットワークファクシミリ装置１は、ＤＮＳサーバ４０から回答があると、当該サービス一覧を取得し（ステップＳ２０５）、当該サービス一覧に利用可能なサービスがあるか、すなわち、自機でサポートしている送信サービスがあるかチェックする（ステップＳ２０６）。
【００５４】
ステップＳ２０６で、ネットワークファクシミリ装置１は、利用可能なサービスがあると、手動送信が指定されているかチェックし（ステップＳ２０７）、手動接続が選択されていると、ＤＮＳサーバ４０から取得したサービス一覧（ＵＲＩ一覧）を、ユーザＩ／Ｆ部３のディスプレイに表示して、オペレータにサービスの選択要求を行う（ステップＳ２０８）。
【００５５】
オペレータは、ユーザＩ／Ｆ部３を使用して、当該ディスプレイに表示されたサービス一覧の中から、送信に使用するサービス（ＵＲＩ）を指定し、ネットワークファクシミリ装置１に処理の継続を促す。
【００５６】
ネットワークファクシミリ装置１は、オペレータによって使用するサービスが指定・決定されると（ステップＳ２０９）、当該指示されたサービス（ＵＲＩ）をＤＮＳサーバ４０に問い合わせ、ＩＰアドレスを用いて指定されたサービスを指定して宛先と接続し（ステップＳ２１０）、送信処理を行う（ステップＳ２１１）。
【００５７】
また、ステップＳ２０７で、送信指示時にオペレータから手動接続要求が行われなかった場合には、サービス一覧の表示を行うことなく、ＤＮＳサーバ４０から通知されたサービス一覧の中から自動的に利用するサービスを選択し（ステップＳ２０９）、当該ＵＲＩを指定して相手先に接続して（ステップＳ２１０）、送信処理を行う（ステップＳ２１１）。
【００５８】
さらに、ステップＳ２０６で、利用可能なサービスがないときには、ネットワークファクシミリ装置１は、送信を行うサービスがないため、エラー処理を行って、処理を終了する（ステップＳ２１２）。
【００５９】
このように、本実施例のネットワークファクシミリ装置１は、利用する通信サービスを手動選択するか自動選択するかの選択方法を設定するユーザＩ／Ｆ部３で、手動選択が選択されると、ＤＮＳサーバ４０から取得した通信サービスの一覧をユーザＩ／Ｆ部３のディスプレイに表示し、当該表示に基づいて、ユーザＩ／Ｆ部３で利用する通信サービスが選択されると、当該選択された通信サービスを利用して送信している。
【００６０】
したがって、論理的な番号に対する通信サービスが複数ある場合に、オペレータが手動で通信サービスを選択することで、オペレータの意に反した宛先に送信されることを確実に防止することができ、例えば、通常は、自動送信で通信サービスを選択して送信し、重要な情報を送信する場合に手動選択で通信サービスを選択して送信することができ、利用性をより一層向上させることができるとともに、安全性を向上させることができる。
【実施例３】
【００６１】
図６は、本発明のネットワークファクシミリ装置の第３実施例を適用したネットワークファクシミリ装置による送信処理を示すフローチャートある。
【００６２】
なお、本実施例は、上記第１実施例のネットワークファクシミリ装置１と同様のネットワークファクシミリ装置に適用したものであり、本実施例の説明においては、必要に応じて、上記第１実施例の説明で用いた符号をそのまま用いて説明する。
【００６３】
本実施例のネットワークファクシミリ装置１は、ＤＮＳサーバ４０の提供するサービスのうち送信に利用するサービスを自動または手動選択して行った送信の途中でエラーが発生して、再送信する場合は、既に送信済みのページがあると、当該エラーの発生したサービスを使用して再送信する。
【００６４】
すなわち、ネットワークファクシミリ装置１は、ワンタッチキーやグループキーに対応付けて送信先アドレスが登録されている状態で、送信時、図６に示すように、オペレータが送信時に予め登録されたワンタッチキーを指定して送信指示を行うと、当該ワンタッチキーで指定された宛先が論理アドレスかどうか判断し（ステップＳ３０１）、宛先が論理アドレスの場合には、再送信かどうかチェックする（ステップＳ３０２）。
【００６５】
なお、この再送信かどうかのチェックでは、ネットワークファクシミリ装置１は、当該送信先への送信が再送信であるか否かだけでなく、再送信であっても、当該再送信が、既に送信済みページ数が１ページ以上ある場合の再送信であって、その送信に対して記憶しているＵＲＩがあるかを含めて再送信であるか否かチェックする。
【００６６】
ステップＳ３０２で、再送信でないときには、ネットワークファクシミリ装置１は、上記ワンタッチキーに対応してアドレス管理部１１に登録されている番号を一旦Ｅ．１６４番号に変換し（ステップＳ３０３）、さらに、ＥＮＵＭ用ドメイン名に変換して（ステップＳ３０４）、ネットワークＮＷを介してＤＮＳサーバ４０に問い合わせを行う（ステップＳ３０５）。
【００６７】
ＤＮＳサーバ４０は、ネットワークファクシミリ装置１から問い合わせがあると、データベース４１の情報から利用可能なサービス一覧（図４参照）を取り出して、依頼のあったネットワークファクシミリ装置１に回答する。
【００６８】
ネットワークファクシミリ装置１は、ＤＮＳサーバ４０から回答があると、当該サービス一覧を取得し（ステップＳ３０６）、当該サービス一覧に利用可能なサービスがあるか、すなわち、自機でサポートしている送信サービスがあるかチェックする（ステップＳ３０７）。
【００６９】
ステップＳ３０７で、ネットワークファクシミリ装置１は、利用可能なサービスがあると、当該利用可能なサービスを今回の送信に使用するサービスとして選択・決定して（ステップＳ３０８）、当該選択したサービス（ＵＲＩ）を指定して接続を行い（ステップＳ３０９）、送信を行って、処理を終了する（ステップＳ３１０）。
【００７０】
ステップＳ３０７で、利用可能なサービスがないときには、ネットワークファクシミリ装置１は、送信を行うサービスがないため、エラー処理を行って、処理を終了する（ステップＳ３１１）。
【００７１】
ステップＳ３０２で、再送信のとき、すなわち、当該再送信であって、かつ、既に送信済みページ数が１ページ以上ある場合の再送信であり、その送信に対して記憶しているＵＲＩがあるときには、ネットワークファクシミリ装置１は、当該記憶しているＵＲＩ、すなわち、エラーの発生したＵＲＩを読み出して（ステップＳ３１２）、当該読み出したサービス（ＵＲＩ）を指定して接続を行い（ステップＳ３１３）、送信を行って、処理を終了する（ステップＳ３１０）。
【００７２】
例えば、論理アドレスが指定され、ＤＮＳサーバ４０から取得したサービスの中からＳＩＰ  ＵＲＩを選択してリアルタイム型のインターネットＦＡＸ（Ｔ．３８）の送信を行っている途中に、途中で通信エラーが発生した場合、ネットワークファクシミリ装置１は、当該送信において、送信済みページ数が１ページ以上あると、そのときのＵＲＩをエラー終了時に記憶する。
【００７３】
そして、再送処理時に、ネットワークファクシミリ装置１は、まず、送信アドレスが公衆網ＰＴの電話番号であるのか、それとも論理アドレスであるのかをチェックし、番号が論理アドレスの場合には、既に１ページ以上を送信して２ページ目以降からの再送信であるのか、また、その送信に対して記憶しているＵＲＩがあるかどうかをチェックする（ステップＳ３０２）。
【００７４】
ネットワークファクシミリ装置１は、２ページ目以降からの再送信であり記憶してるＵＲＩがあるときの再送信時には、ネットワークＮＷ上のＤＮＳサーバ４０へ通信サービスを問い合わせることなく、記憶しておいたＵＲＩへ再送信を行う。
【００７５】
また、ネットワークファクシミリ装置１は、当該再送信が先頭ページからの再送である場合には、ネットワークＮＷ上のＤＮＳサーバ４０へ通信サービスの取得を行い、利用可能なサービスを使って送信処理を行う。
【００７６】
そして、ステップＳ３０１で、論理アドレスでないときには、実際の公衆網ＰＴのアドレスであるので、ネットワークファクシミリ装置１は、公衆網ＰＴに接続して（ステップＳ３１４）、通常のプログラム送信処理を行って送信する（ステップＳ３１０）。
【００７７】
このように、本実施例のネットワークファクシミリ装置１は、ＤＮＳサーバ４０から取得した通信サービスの１つを選択して所定の宛先に送信を行い、当該送信において通信エラーが発生して、当該宛先に再送信を行う場合、当該通信エラーの発生した送信において送信済みページがあるときには、当該通信エラーの発生した通信サービスと同じ通信サービスを利用して当該再送信を行っている。
【００７８】
したがって、１つのドキュメントが分割されて異なる端末へ出力されてしまうことを確実に防止することができ、通信の安全性と利用性を向上させることができる。
【００７９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８０】
通常の電話回線だけでなく、複数の通信サービスを利用してファクシミリ送信可能な場合の通信サービスの選択を簡単かつ適切に行って利用性を向上させるネットワークファクシミリ装置に適用することができる。
【図面の簡単な説明】
【００８１】
【図１】本発明のネットワークファクシミリ装置の第１実施例を適用したネットワークファクシミリ装置のブロック構成図。
【図２】図１のネットワークファクシミリ装置の接続されるネットワークシステムを示す図。
【図３】図１のネットワークファクシミリ装置によるサービス自動選択送信処理を示すフローチャート。
【図４】図２のＤＮＳサーバから通知されるサービス一覧の一例を示す図。
【図５】本発明のネットワークファクシミリ装置の第２実施例を適用したネットワークファクシミリ装置によるサービス自動選択送信処理を示すフローチャート。
【図６】本発明のネットワークファクシミリ装置の第３実施例を適用したネットワークファクシミリ装置によるサービス自動選択送信処理を示すフローチャート。
【図７】電話番号とネットワーク上の種々のアドレスとの対応付けを示す図。
【符号の説明】
【００８２】
１  ネットワークファクシミリ装置
２  システム制御部
３  ユーザＩ／Ｆ部
４  スキャナ部
５  プロッタ部
６  メモリ部
７  ネットワークＩ／Ｆ部
８  公衆網Ｉ／Ｆ部
９  プロトコル作成／解析部
１０  画像変換制御部
１１  アドレス管理部
１２  バス
３０  ネットワークファクシミリ装置
４０  ＤＮＳサーバ
４１  データベース
ＰＴ  公衆回線網
ＮＷ  ネットワーク
【図１】
2006033316.tif 000003
【図２】
2006033316.tif 000004
【図３】
2006033316.tif 000005
【図４】
2006033316.tif 000006
【図５】
2006033316.tif 000007
【図６】
2006033316.tif 000008
【図７】
2006033316.tif 000009